(57)【要約】【課題】ホームサーバとクライアントを同一のリモートコントローラにより制御できるようにする。【解決手段】ホームサーバ・システム用のリモートコントローラを、クライアントを制御するための赤外線通信機能と、ホームサーバを制御するための無線通信機能を合わせ持つ構成とした。【選択図】  図１
2005311549.tif 000002
【特許請求の範囲】
【請求項１】
ホームネットワークで接続されるホームサーバとクライアントからなるホームサーバシステムにおいて、
該ホームネットワークに互いに接続された少なくとも第１の機器と第２の機器を操作可能なリモートコントローラを備え、
前記リモートコントローラは、該第１の機器に対して赤外線通信を用いて制御し、該第２の機器に対して前記赤外線通信とは異なる無線通信を用いて制御を行えるようにしたこと特徴とするホームサーバシステム。
【請求項２】
互いにホームネットワークで接続されるホームサーバとクライアントからなるホームサーバシステムに用いるリモートコントローラにおいて、
赤外線通信にて前記クライアントを制御する第1の制御手段と、
前記赤外線通信とは異なる無線通信にて前記ホームサーバを制御する第２の制御手段と、を備えてなることを特徴とするリモートコントローラ。
【請求項３】
ホームネットワークで接続されるホームサーバとクライアントからなるホームサーバシステムに用いるホームサーバにおいて、
該ホームサーバはリモートコントローラからの無線信号を受信する無線受信部を含む待機部と
前記ホームネットワークと接続するネットワーク接続部と、
メイン処理部を有し、
該ネットワーク接続部とメイン処理部への電力供給を該待機部への電力供給と独立して制御可能としたこと特徴とするホームサーバ。
【発明の詳細な説明】
【技術分野】
【０００１】
この発明は、互いにホームネットワークで接続されるホームサーバとクライアントからなるホームサーバ・システムおよびホームサーバ・システム用リモートコントローラに関するものである。
【背景技術】
【０００２】
従来のリモートコントローラとしては、赤外線を用いるものが一般的であるが、壁等の障害物を向こうの装置には赤外線が届かないため制御することができなかった。この問題を克服するものとして例えば特許文献１では、赤外線通信と無線通信の機能を備えた照明システム用のリモートコントローラがある。しかし、このリモートコントローラは、赤外線通信と無線通信を中継するものであって、リモートコントローラが制御の主体となって両通信対象である照明器具とメインコントローラを制御するものではなかった。
【０００３】
【特許文献１】特開２００３−２４３１８９号公報
【発明の開示】
【発明が解決しようとする課題】
【０００４】
映像配信などのサービスを提供するホームサーバと該サービスをホームネットワークを経由して受けるクライアントからなるホームサーバ・システムでは、クライアントを設置した部屋とホームサーバを設置した部屋は異なることが通常のケースである。ホースサーバは家庭用であるため、常時電源を入れておく必要はなく、省電力の点からクライアントを使用するときにホースサーバの電源を入れるケースが想定される。従来の方法であれば、クライアントを設置した部屋から別の部屋に設置したホームサーバを操作するには、無線通信専用のリモートコントローラを使用するか、上記特許文献１にあるような無線通信と赤外線通信を中継するリモートコントローラに対して赤外線通信のリモートコントローラで操作する必要があり、これとは別にクライアントを制御するリモートコントローラも必要なため、持ち替えや操作が煩雑になるという課題があった。
【０００５】
なお、ホームサーバをクライアントからホームネットワークを経由して制御することも考えられるが、無線ホームネットワークを経由してクライアントからホームサーバの電源を入れてなどのことはできない。
【課題を解決するための手段】
【０００６】
この発明は、互いにホームネットワークで接続されるホームサーバとクライアントからなるホームサーバ・システムに用いるホームサーバ・システム用リモートコントローラにおいて、クライアント制御用の赤外線リモートコントローラに、ホームサーバ用の無線リモートコントローラ機能を合わせ持つ構成とする。
【発明の効果】
【０００７】
本発明は、上記したリモートコントローラの赤外線通信手段により操作者の部屋にあるクライアントを操作できるとともに、リモートコントローラの無線通信手段により操作者の部屋以外にあるホームサーバを操作できるため、ホームサーバのある部屋に出向いて操作する必要がないとともに、リモートコントローラを持ち替えずに操作でき、操作を簡略化できる効果がある。
【発明を実施するための最良の形態】
【０００８】
以下、この発明の形態を説明する。
【実施例１】
【０００９】
図１は、この発明によるリモートコントローラとホームサーバ・システムの動作の説明である。ホームサーバ３は、無線送受信部３ａおよびデータ記録媒体３ｂなどのサーバ機能を備えており、部屋７ｂに設置されている。また、クライアント２は、赤外線受光部２ａとホームサーバ３からのサービスを受信する機能を備えており、映像の配信サービスを受ける場合には表示装置４に受信した映像データを送って表示させる。クライアント２は、ホームサーバ３を設置した部屋７ｂとは異なる部屋７ａに設置している。ホームサーバ３とクライアント２は、ホームネットワーク４で互いに接続されており、このホームネットワーク４を経由してサービス信号が授受される。
【００１０】
クライアント２の使用者は、部屋７ａ内でリモートコントローラ１を用いて赤外線通信によりクライアント２を操作する。リモートコントローラ１の赤外線送信部１ａから赤外線５を出し、赤外線５がクライアント２の赤外線受光部２ａに届くことにより通信が可能となる。
【００１１】
また、クライアント２の使用者は、部屋７ａ内でリモートコントローラ１を用いて無線通信により部屋の壁越しにホームサーバ３を操作する。リモートコントローラ１の無線送受信部１ｂから無線６を出し、無線６がホームサーバ３の無線送受信部３ａに届くことにより通信が可能となる。無線の場合には、双方向の通信が可能である。１ｃはリモートコントローラの表示部、１ｄはリモートコントローラの操作ボタンである。
【００１２】
上記したこの発明の形態によれば、クライアント用のリモートコントローラを用いて、他の部屋に設置したホームサーバを操作することができる効果がある。
【実施例２】
【００１３】
図２は、この発明によるホームサーバの実施の形態を示すブロック図である。ホームサーバ３は、動作状態に応じて電力を切り替え可能なブロックに分かれており、３ｃは待機部、３ｅはメイン処理部、３ｄはネットワーク部である。メイン処理部３ｅにはデータ記録媒体３ｂが含まれる。また、待機部にはリモートコントローラからの無線受信部３ａが含まれる。
【００１４】
従来は、待機部３ｃ専用の無線受信部３ａがなかったので、動作状態に応じた電力変化は、図３に示すようになる。同図の８はホームサーバ３がネットワーク部３ｄを経由してクライアントに対してサービス提供している状態であり、メイン処理部３ｂも含めて全てが動作している状態である。９はクライアントに対してサービス提供していない状態であり、ネットワーク部３ｄは動作可能な状態であるが、メイン処理部３ｂは動作していない状態である。従来の場合、ネットワーク部３ｄの電力を供給しておく必要があり、十分には待機電力を少なくできなかった。
【００１５】
一方、図４はこの実施の形態のホームサーバ３の動作状態に応じた電力変化を示している。同図の８はホームサーバ３がネットワーク部３ｄを経由してクライアントに対してサービス提供している状態であり、メイン処理部３ｂも含めて全てが動作している状態である。９はクライアントに対してサービス提供していない状態であり、ネットワーク部３ｄは動作可能な状態であるが、メイン処理部３ｂは動作していない状態である。このサービスを提供していない状態で一定時間Ｔを経過後には、待機部３ｃだけに電力を供給するようにしており、十分に少ない待機電力１０にすることができる。
【００１６】
この待機状態では、ネットワーク経由ではサービスの提供を要求することはできない。そこで、この実施の形態では、無線受信部３ａでリモートコントローラからの起動信号を受信し場合には、ネットワーク部３ｄに電力を供給し、ネットワーク経由でのサービスの提供要求を受けられるようにしている。
【００１７】
上記したこの発明の形態によれば、ホームサーバの待機電力を低減できる効果がある。
【産業上の利用可能性】
【００１８】
本発明によれば、ホームサーバとクライアントからなるホームサーバ・システムにおいて、ホームサーバの設置場所を気にすることなく、ホームサーバとクライアントを同一のリモートコントローラにより制御できるとともに、ホームサーバの待機電力を低減できる効果がある。
【図面の簡単な説明】
【００１９】
【図１】本発明によるリモートコントローラとホームサーバ・システムを示す図。
【図２】本発明によるホームサーバを示すブロック図。
【図３】従来のホームサーバの電力変化を示す図。
【図４】本発明によるホームサーバの電力変化を示す図。
【符号の説明】
【００２０】
１  リモートコントローラ、  １ａ 赤外線送信部、  １ｂ  無線送受信部、  １ｃ  表示部、  １ｄ  操作ボタン、  ２  クライアント、  ２ａ  赤外線受光部、  ３  ホームサーバ、  ３ａ  無線送受信部、  ３ｄ  データ記録媒体、  ３ｃ  待機部、  ３ｄ  ネットワーク部、 ３ｅ  メイン処理部、４  ホームネットワーク、  ５  赤外線、  ６  無線、  ７ａ  クライアントを設置した部屋、  ７ｂ  ホームサーバを設置した部屋、  ８  サービス時電力、  ９  非サービス時電力、  １０  待機電力。
【図１】
2005311549.tif 000003
【図２】
2005311549.tif 000004
【図３】
2005311549.tif 000005
【図４】
2005311549.tif 000006